(57)【特許請求の範囲】
【請求項１】
表示窓および操作キー孔を有する装置ケースであって、
前記表示窓に覆設される第１パネル体および前記操作キー孔を合わせて付設される第２パネル体を有し、
前記第１パネル体の取り外しに用いられるパネル取外し部が、前記表示窓の外枠位置に形成され、
前記第１パネル体と前記第２パネル体とは、それぞれの合わせ端部を近接して連設されるように配置され、
前記第１パネル体のパネル取外し部は、前記合わせ端部の位置において、前記第２パネル体の付設によって隠されて配設されることを特徴とする装置ケース。
【請求項２】
請求項１記載の装置ケースにおいて、
前記第２パネル体の前記パネル取外し部は、前記操作キー孔に引っ掛け凹部を設けて形成されることを特徴とする装置ケース。
【請求項３】
請求項２記載の装置ケースにおいて、
前記第１パネル体の取り外しは、前記第２パネル体を取り外した後に行うことを特徴とする装置ケース。
【請求項４】
請求項１乃至３いずれかに記載の装置ケースにおいて、
前記第１パネル体は合わせ端部に位置決め部を設けて構成されることを特徴とする装置ケース。
【請求項５】
請求項４に記載の装置ケースにおいて、
前記第１パネル体の前記位置決め部は、前記第２パネルの付設により、隠れて配設されて構成されることを特徴とする装置ケース。
【請求項６】
装置筐体に所定の構成部材を内設して構成される移動通信端末において、
前記装置筐体を請求項１乃至５のいずれかに記載の装置ケースを備えて形成して構成されることを特徴とする移動通信端末。
【発明の詳細な説明】
【０００１】
【発明の属する技術分野】
本発明は、少なくとも表示画面用の表示窓および操作キー用孔部のどちらか一方を有する装置ケースに関するものであり、さらに、該装置ケースを備える携帯電話機・携帯無線機・情報端末機器・携帯パソコンなどの移動通信端末に関するものである。
【０００２】
【従来の技術】
図５には従来の装置ケースを示すが、これは移動通信端末の一例である携帯電話機のフロントケースである。装置ケース１０は前面に、表示画面用の表示窓１１と操作キー（操作ボタン）用の孔部（１２、１３、１４）を有している。ここで、中央のやや大きめの孔部１３は、多方向操作キーを貫通させる孔部であり、この周囲には複数の機能キー用の孔部１２が配置されている。
装置パネル２０はここでは１体もののパネル部材として形成されていて、表示窓１１と操作キー孔部（１２、１３）とを一面に覆うようにして敷設されている。装置パネル２０は、両面テープ等の粘着剤または接着剤を介在させることにより、装置ケース１０に密着して付設されるよう設定される。
【０００３】
装置パネル２０は、表示画面（ＬＣＤ等）がよく見える透明なフロントグラス部２０ｄ、大径の孔部２０ｂ、機能キー用の孔部２０ｃ、レシーバ（受話器）用の貫通孔部２０ａなどを備えている。
図６は、装置パネル２０が装置ケース１０の定位置に取り付けられた様子を、装置長手方向の断面で示す説明図である。装置ケースの中央に位置する大径の孔部２０ｂには操作キーつまみ４１用のつまみ軸４０が貫通しており、ここには通常、多方向操作キーが配設される。
【０００４】
さて、この装置の組み立てが完成した時点では、装置パネル２０は装置ケース１０にしっかり密着されて取り付けられ、簡単には外れないようになっている。製品として市場に出ているこれらの装置では、装置パネル２０は外れることはないし、使用者らが外すということも一般的にはありえない。よって、装置パネル２０は、普通のやり方では取り外せないような構造を有して、装置ケース１０に取り付けられていた。
【０００５】
ところが、装置パネル２０を装置ケース１０から取り外す必要が生じる場合がある。これは、製造現場において装置ケース１０の組み立て作業が終了したあとに、装置の内部を今一度点検または検査したいときや、パネル等の部品交換や点検したいときなどに起こる。さらに、既に使われている装置にあっては、使用者らの依頼による検査、点検、部品交換などの際にも、装置パネル２０を装置ケース１０から取り外されなければならない。
【０００６】
こうしたことを想定して、装置メーカー側としては、図７で示すような特殊な専用工具５０を準備して保有している。使用にあたっては、この工具の先端のフック状引っかけ部５０ａを、装置のレシーバ（受話器）用の貫通孔部２０ａに引っ掛けて、装置パネル２０を装置ケース１０から強制的に分離させるという方法をとっていた。
【０００７】
【発明が解決しようとする課題】
しかしながら、従来の装置においては、次のような解決すべき問題点がある。・特殊な専用工具が必要となるので、装置パネルを取り外す作業を行なう作業者または作業する場所には、この特殊な専用工具を必ず備えていなければ作業ができない。
・特殊な専用工具はこの工具を製作すること自体が、専門技術を必要とするので、量産するのは難しく、必要な分だけ配分するとしても、かなり多数の工具を保有していなければならない。
・特殊な専用工具を備えているのは、装置メーカーだけになってしまう、装置の点検修理などのため使用者が販売店や代理店に装置を持ち込んでも、装置を開けて内部が見ることができない。よって、それが簡単なことで開ければすぐ終わるような作業であっても、その場所では作業ができない。
・パネルの取り外しのための取り外し部が特に装置に設けられていないので、装置レシーバ（受話器）用の貫通孔部２０ａに引っ掛けるというやり方をとっているが、貫通孔部周囲を破損させたり変形させたりする虞がある。
【０００８】
本発明は、上述のような従来装置の問題点に鑑みなされたもので、特殊な専用工具がなくとも装置パネルの取り外しができ、装置パネルの取り付け作業性を向上させた装置ケースおよびこれを備えた移動通信端末を提供することを目的とする。
【０００９】
【課題を解決するための手段】
上述の課題を解決するために、本発明による装置ケースおよび電子装置は次のような手段を用いる。なお、付した符号は図面のそれに一致する。
（１）表示窓１１および操作キー孔（１２、１３、１４等）を有する装置ケース１０であって、
表示窓１１に覆設される第１パネル体２１および操作キー孔（１２、１３等）を合わせて付設される第２パネル体２２を有し、
第１パネル体２１の取り外しに用いられるパネル取外し部３０が、表示窓１１の外枠位置１１Ａに形成され、
第１パネル体２１と第２パネル体２２とは、それぞれの合わせ端部(２１Ａ,２２Ａ)を近接して連設されるように配置され、
第１パネル体２１のパネル取外し部３０は、合わせ端部(２１Ａ,２２Ａ)の位置において、第２パネル体２２の付設によって隠されて配設される装置ケースとした。
（２）この装置ケースにおいて、第２パネル体２２のパネル取外し部３１は、操作キー孔（１２、１３等）に引っ掛け凹部３１ａを設けて形成される。
（３）この装置ケースにおいて、第１パネル体２１の取り外しは、第２パネル体２２を取り外した後に行う。
（４）この装置ケースにおいて、第１パネル体２１は合わせ端部２１Ａに位置決め部２１Ｂを設けて構成される。
（５）この装置ケースにおいて、第１パネル体２１の位置決め部２１Ｂは、第２パネル２２の付設により後ろ側に隠れて配設されるように構成される。
（６）装置筐体に所定の構成部材を内設して構成される移動通信端末において、前記装置筐体を(１)乃至(５)のいずれかの装置ケースを備えて形成して構成される移動通信端末とした。
【００１０】
【発明の実施の形態】
以下、添付図面を参照して本発明による装置ケースおよび移動通信端末の実施の形態を詳細に説明する。
図１は本発明による装置ケースの一例として携帯電話機の装置ケースの外観斜視図を示す。また、図２は本発明による装置ケース要部の断面による説明図であり、（１）（２）のいずれも装置の長手方向の断面によるものである。さらに、図３は本発明による装置ケースのケース体の取り付け状況を示す説明図である。
【００１１】
この装置ケース１０は、その前面にＬＣＤ(液晶画面)のための表示窓１１及び操作キー部のための貫通孔部（１２、１３、１４）を多数備える。これらの貫通孔部には操作キーが配設される。これらの操作キーは、電話番号や各種機能を実行するための選択キー（ボタン）により構成されているが、装置中央付近にある大径の貫通孔部１３には、多方向操作キーの操作つまみ４１とつまみ軸４０が配置されている。
【００１２】
図５示す従来の装置ケースとの大きな違いは、従来は１枚ものであった装置パネルを、表示窓１１に覆設される第１パネル体２１と、操作キー孔部（１２、１３）側を合わせて付設される第２パネル体２２とのニ体に分離したこと、および、パネルの取り外しに用いられるパネル取外し部（３０または３１）とを備えていることである。パネルは分離されて取り扱いやすくなり、またパネルの取り外しも容易になった。
第１パネル体２１は表示窓１１を蓋するように覆って冠設され、周囲は両面テープ等の粘着剤で装置ケースに定着される。また、第２パネル体２２は、操作キー孔部（１２、１３）の配置された装置ケース１０の前面部分を覆うパネルであり、操作キー孔部に合わせてそのまま貫通するような構造を保っている。この第２パネル体２２は装置の化粧パネルのような役目を果たし、装置ケース面に添設または貼設されるようにして敷設されている。
【００１３】
さて、この装置ケースにおいて、第１パネル体２１は合わせ端部２１Ａを有し、第２パネル体（２２）は合わせ端部２２Ａを有し、それぞれの合わせ端部はその形状や色彩等において調和する構成となっており、合わせ端部で互いに係合するように近接して並列に配置される。装置ケースに配設された第１パネル体２１と第２パネル体２２は１枚の調和したパネル体のように見えるのがよく、装置ケースと色彩デザインともに統一がとれるように形成されるのが好ましい。
【００１４】
このような装置ケース１０において、パネル取外し部３１は、操作キー孔部１３または１２に形成される。図２（１）に見られるパネル取外し部３１は、装置ケース１０側の操作キー孔部１３の内側に、工具の細い先端が通れる窪み状の引っ掛け凹部３１ａを設けることで、パネル取り外し構造を形成したものである。そして図２（３）は、操作キー孔部１３にパネル取外し部３１として引っ掛け凹部３１ａを設けた構造を示す上面図である。
このような装置で作業者は、操作つまみ用のつまみ軸４０を避けながら、第２パネル体２２の孔部１３Ａを挿通して操作キー孔部１３に工具５１を挿入すると、定位置に引っ掛け凹部３１ａを設けているので、ここを工具５１の先端を通すことにより、作業者は第２パネル体２２をうまく引っ掛けることができる。そして、第２パネル体２２を装置ケース１０から容易に分離させることができる。工具５１自体は特殊なものは必要なく、先端が引っ掛かかる構造の工具であればどんなものでも使用できる。
【００１５】
図２（１）では第２パネル体２２を取り外す様子を示したが、図２（２）においては第２パネル体２２は既に取り外されており、この状態から今度は第１パネル体２１を取り外す様子を示す。図２（２）に見られるように、パネル取外し部３０は、合わせ端部（２１Ａまたは２２Ａ）位置に形成されている。これは、合わせ端部の面を含む位置において装置ケース１０に凹部を設けて、この凹部をパネル取外し部３０として構成したものである。
工具５２は、マイナスドライバー、先のやや尖った棒状工具、細長のへら状工具などのありふれたものが使用される。第２パネル体２２は既に取り去られているので、パネル取外し部３０は作業者がはっきりと認識でき、工具５１をここにあてがって、てこのようにして用い、第１パネル体２１を引っ掛けて装置ケース１０から剥がすようにして持ち上げて取り外す。
【００１６】
図２では、第１パネル体２１と第２パネル体２２が備えられた装置において、第２パネル体２２を先に取り外す様子を示したが、これに限らず、パネル取外し部３０の位置が前もってわかっていれば、第２パネル体２２は外さなくとも、第１パネル体２１だけを取り外すこともできる。すなわち、第１パネル体２１を装置ケース１０に配置する設計をするとき、パネル外枠位置では少量のクリアランス（隙間）を設けてあるので、そこから先端が細い工具を挿入して、パネル取外し部３０にあてがうことによって第１パネル体２１を装置ケース１０から取り外すことができる。
【００１７】
図３は本発明による装置ケース１０のパネル体（２１、２２）の取り付け状況を示す説明図である。図３（１）は第１パネル体２１を取り付けた状態であり、この取り付けにあたっては、装置に予め設けられた取り付け位置線１０ａを基準にして配置されて位置決めがなされて、さらに両面テープ等の粘着剤で定着されて取り付けられる。
ところで、図４はパネル体の別の例を示す図であるが、ここでの第１パネル体２１の合わせ端部２１Ａは、波形のような曲線をなしている。合わせ端部２１Ａは取り付け位置線１０ａに合わせて取り付けるが、端部２１Ａはが曲線のために位置合わせがやり難く、取り付けが傾きやすいものである。
【００１８】
そこで、図３（１）に示すように、第１パネル体２１は合わせ端部２１Ａに位置決め部２１Ｂを設けて構成した。この位置決め部２１Ｂは、合わせ端部２１Ａからパネル面に沿って突起させた横長の小片であり、直線部分２１Ｂ’を有していて、ここで位置決めがなされる。この位置決め部２１Ｂは直線部分２１Ｂ’において装置ケース１０に設けた取り付け位置線１０ａと当接または係合するようにするとよいが、また、第２パネル体２２の合わせ端部２２Ａとも当接または係合するようにしてもよい。こうして、第１パネル体２１の位置は、装置ケース１０との間で位置決めがなされるし、また第２パネル体２２との間でも位置決めなされるので、これらの両方を用いてもよいし、いずれか一方でもよい。
【００１９】
さらに、第２パネル体２２を取り付ける際には、位置決め部２１Ｂは第２パネル体２２が重なることで、上から隠れてしまい見えなくなるような構造にするとよく、色彩やデザインが調和して好ましい電子装置が形成される。この位置決め部２１Ｂを隠すためには、装置の構造上は、位置決め部２１Ｂを収納するため収納凹部（図示せず）を設けるのがよいが、それは装置ケース１０の表面または第２パネル体２２の裏面のいずれに配設してもよい。
【００２０】
図３（２）は、第１パネル体２１に続いて、第２パネル体２２を取り付けて、パネルの取り付けが終了した図である。第１パネル体２１の合わせ端部２１Ａと第２パネル体２２の合わせ端部２２Ａとは、きちんと直線的に合わせられ、美観的にも統一がとられ揃えられて配置させられる。この装置ケース１０においては、第１パネル体２１の位置決め部２１Ｂは、第２パネル２２が重ねられて付設されることによって影に隠れてしまう。よって、この位置決め部２１Ｂは外側から見えないので、外観上邪魔になることはないように構成されている。
【００２１】
【発明の効果】
このように本発明によれば、次のような優れた効果を発揮する。
・装置のパネル体を２つに分離して第１パネル体（表示窓側）と第２パネル体（操作キー側、化粧パネル）としたうえ、パネル取外し部を設けたので、作業にあたって装置そのものを分解することなく、第１パネル体（表示窓側）と第２パネル体（操作キー側、化粧パネル）のいずれか一方の交換や点検が容易にできるようになる。
・パネル取外し部３１は、操作キー孔１３の内側に形成されるので、装置の外観に損傷や変形を与えることなく、パネル体の取り外しができる。  
・第１パネル体と第２パネル体とは、それぞれの合わせ端部に近接して連設されるように配置されるので、取り付け作業における効率が向上し、美観的にも優れた製品ができる。
・第１パネル体は合わせ端部に位置決め部を設けて構成されるので、組み立て作業においてパネル体が傾いて取り付けられることがなくなる。
・第１パネル体の位置決め部は、第２パネルの付設によりその影に隠れて配設されるので、位置決め部は通常外からは見えず、美観的に優れた装置が構成できる。
・装置筐体に所定の構成部材を内設して構成される移動通信端末において、装置筐体を本発明による装置ケースを備えて形成して構成したので、パネル体の交換が容易にでき、デザイン的にも優れる移動通信端末を市場に提供できる。
【図面の簡単な説明】
【図１】本発明による装置ケースの一例として、携帯電話機の装置ケースを外観斜視で示した図である。
【図２】本発明による装置ケース要部の断面による説明図であり、（１）は第２パネル体を取り外す様子を示し、（２）は、（１）に続いて第１パネル体を取り外す様子を示し、（３）はパネル取外し部の構造を示す。
【図３】本発明による装置ケースのパネル体の取り付け状況を示す説明図である。（１）は第１パネル体を取り付けた様子を示し、（２）は、（１）に続いて第２パネル体を取りつけた様子を示す。
【図４】本発明による装置ケースであり、波形形状の合わせ端部を有するパネル体を取り付ける様子を示す説明図である。
【図５】従来の装置ケースの一例として、携帯電話機の装置ケースを外観斜視で示した図である。
【図６】従来の装置ケース要部の断面による説明図である。
【図７】従来の取り外し用の特殊専用工具の一例を示す外観図である。
【符号の説明】
１１    表示窓
１１Ａ  表示窓の外枠位置
１２、１３、１４    操作キー孔部
１０    装置ケース
２１    第１パネル体
２２    第２パネル体
３０、３１    パネル取外し部
２１Ａ、２２Ａ    合わせ端部
２１Ｂ    位置決め部
【図１】
0003692394.tif 000002
【図２】
0003692394.tif 000003
【図３】
0003692394.tif 000004
【図４】
0003692394.tif 000005
【図５】
0003692394.tif 000006
【図６】
0003692394.tif 000007
【図７】
0003692394.tif 000008